(57)【特許請求の範囲】
【請求項１】
任意の正の整数Ｎ枚の光ディスクを格納するマガジンを複数有する光ディスクライブラリ装置と、
一枚または複数枚で構成された一組の光ディスク上のデータを連続する論理アドレスを持つボリュームとして管理し、各ボリュームを構成する光ディスクの格納位置情報および未使用光ディスクの格納位置情報を管理するボリューム管理部と、
システムを運用するために必要なシステム情報を記憶するシステム情報記憶部と、
光ディスクライブラリ装置内の特定のマガジン内のシステム情報格納位置にある光ディスクについて前記ボリューム管理部に問い合わせ、前記光ディスクが未使用でない場合には、前記システム情報格納位置を含むマガジンに含まれる全ての光ディスクについて前記ボリューム管理部に問い合わせ、すべての光ディスクが同一ボリュームを構成しない場合には、前記システム情報格納位置にある光ディスクと他の格納位置にある未使用光ディスクを入れ換え、すべての光ディスクが同一ボリュームを構成する場合には、未使用光ディスクを含む交換用マガジンを探索し、前記交換用マガジン内の全ての光ディスクと、前記バックアップマガジン内の全ての光ディスクとを、未使用光ディスクが前記システム情報格納位置に格納されるように入れ換える光ディスク入れ換え部と、
前記システム情報格納位置にある未使用光ディスクに前記システム情報記憶部のバックアップをとるバックアップ部と、
システムを臨時運用する指示を受けた際に、前記バックアップ部がバックアップしたシステム情報を記憶した光ディスクを、読み出し可能なドライブに挿入し、前記光ディスクを用いて、システムを運用する臨時運用部とを有することを特徴としたライブラリ制御装置。
【請求項２】
１枚の記憶容量が任意の正の数Ａである光ディスクを任意の正の整数Ｎ枚格納するマガジンを複数有する光ディスクライブラリ装置と、
前記システム情報の記憶容量の合計が、任意の２以上Ｎ以下の整数Ｘにおいて、Ａ×（Ｘ−１）より大きくＡ×Ｘ以下であり、前記システム情報格納位置が前記バックアップマガジン内にＸ個あり、前記光ディスク入れ換え部が、前記ボリューム管理部に問い合わせ、未使用光ディスクを含む交換用マガジンを探索し、Ｘ枚の未使用光ディスクを含む交換用マガジンが存在する場合には前記交換用マガジン内のＸ枚の未使用光ディスクが前記バックアップマガジン内のシステム情報格納位置に格納されるように前記バックアップマガジン内の全ての光ディスクと前記交換用マガジン内の全ての光ディスクを入れ換え、Ｘ枚の未使用光ディスクを含むマガジンが存在しない場合には、任意の交換用マガジンにＸ枚の未使用光ディスクを集め、前記交換用マガジン内の全ての光ディスクと、前記バックアップマガジン内の全ての光ディスクとを、Ｘ枚の未使用光ディスクが前記システム情報格納位置に格納されるよう入れ換えることを特徴とした請求項１記載のライブラリ制御装置。
【請求項３】
前記正の整数Ｍ台の光ディスクライブラリ装置と、
前記システム情報の記憶容量の合計が、任意の２以上の整数Ｘにおいて、Ａ×（Ｘ−１）より大きくＡ×Ｘ以下であり、Ｍ台の前記光ディスクライブラリ装置がそれぞれＸ個の前記システム情報格納位置の候補を持ち、合計Ｍ×Ｘ個の前記システム情報格納位置の候補から、任意の前記システム情報格納位置を合計Ｘ個選択するシステム情報格納位置選択部を有することを特徴とする請求項２に記載のライブラリ制御装置。
【発明の詳細な説明】
【０００１】
【発明の属する技術分野】
本発明は、１枚以上の、コンピュータ等の情報処理装置の情報を記録をすることが可能な光ディスクを格納する光ディスクライブラリ装置を制御するライブラリ制御装置の、ハードディスク・ドライブ（以降HDDと略す）に代表されるシステム情報記憶部の障害に備え、光ディスクライブラリ装置内にシステムを臨時運用するのための光ディスクを作成することを可能とするライブラリ制御装置に関するものである。
【０００２】
【従来の技術】
ライブラリ制御装置を動作させるためのプログラムやオペレーティング・システム（以降OSと略す）、光ディスクライブラリ装置の管理情報は、HDD等のシステム情報記憶部に格納されているが、ライブラリ制御装置自体の破壊及び、内容の破壊が生じた場合、ライブラリ制御装置の起動が不可能となる。
【０００３】
このため、システム情報記憶部のような外部記憶装置の故障対策法として、別の外部記憶装置にバックアップをする際に、もとの外部記憶装置の識別子に依存する部分を別の外部記憶装置の識別子に依存するよう変換し、いずれの外部記憶装置でも運用可能にする手法が知られている。
【０００４】
上記手法の一例として、光ディスクライブラリ装置の中に書き込み可能な光ディスクが格納されている場合には、障害に備えてシステム情報記憶部内のシステム情報を光ディスクにバックアップしておくと、システム情報記憶部が障害を起こした際には、この光ディスク（以降バックアップ用光ディスクと呼ぶ）を利用して臨時に運用することが可能である。以降にこのようなライブラリ制御装置について詳述する。
【０００５】
例えば図１のような光ディスクライブラリ装置100と図２のようなライブラリ制御装置200について考える。この光ディスクライブラリ装置100は、一枚の光ディスク101を格納する複数の格納位置102と、光ディスクドライブ103と、光ディスクの格納位置102間の移動や、光ディスクドライブ103への移動を行なうアーム104と、光ディスクを光ディスクライブラリ装置100からとりだすための扉105により構成され、ユーザは扉105を開け格納位置102より光ディスクを挿抜することが可能である。
【０００６】
このような光ディスクライブラリ装置の光ディスク内にライブラリ装置200内のHDDに代表されるシステム情報記憶部202のバックアップをとることを考える。バックアップをとる光ディスクの格納位置（以降システム情報格納位置と呼ぶ）は、ユーザがバックアップ用光ディスクを抜きだしても容易に元の格納位置に戻せるよう、ユーザにとって覚えやすい格納位置（例えば一番上もしくは下の格納位置）を使用し、ユーザがシステム情報格納位置を変更できないようにすることが慣例である。
【０００７】
以降の説明では一番上の格納位置がシステム情報格納位置106としてバックアップをとることを仮定する。バックアップ部201はシステム情報格納位置106にある光ディスクをアーム104を制御し、光ディスクドライブ103に挿入し、システム情報記憶部202に記憶されているシステム情報を光ディスクドライブ103に挿入されている光ディスクに記録し、格納位置106へ戻す。
【０００８】
また臨時運用部203は、システム情報記憶部202が障害を起こした場合、システム情報格納位置106にある光ディスクをアーム104を制御し、光ディスクドライブ103に挿入し、光ディスクに記録されているシステム情報をもとに運用を行なう。
【０００９】
同様に例えば図３のような光ディスクライブラリ装置300と図２のライブラリ制御装置200について考える。マガジン301の複数の格納位置を持ち、複数の光ディスク302を格納することが可能である。光ディスクライブラリ装置300にはマガジン301を複数格納する格納棚303と、光ディスクドライブ304と、光ディスクの格納位置間の移動や、光ディスクドライブ304への移動を行なうアーム305と、マガジンを光ディスクライブラリ装置300からとり出すための扉306により構成され、ユーザがマガジン301単位で光ディスクを挿抜することが可能である。
【００１０】
このような光ディスクライブラリ装置300内の光ディスク内にライブラリ装置200内のHDDに代表されるシステム情報記憶部202のバックアップをとることを考える。
【００１１】
図１のような光ディスクライブラリ装置100を使用するときと同様、システム情格納位置にはユーザが覚えやすい格納位置にあるマガジン内の覚えやすい格納位置（例えば一番上のマガジンの一番上の格納位置）を使用し、ユーザがシステム情報格納位置を変更できないようにすることが慣例である。
【００１２】
以降の説明では一番上の格納棚307にあるマガジンの一番上の格納位置をシステム情報格納位置308としてバックアップをとることを仮定する。バックアップ部201はシステム情報格納位置308にある光ディスクをアーム305を制御し、光ディスクドライブ304に挿入し、システム情報記憶部202に記憶されているシステム情報を光ディスクドライブ304に挿入されている光ディスクに記録し、システム情報格納位置308へ戻す。
【００１３】
また臨時運用部203は、システム情報記憶部202が障害を起こした場合、システム情報格納位置308にある光ディスクをアーム305を制御し、光ディスクドライブ304に挿入し、光ディスクに記録されているシステム情報をもとに運用を行なう。
【００１４】
【発明が解決しようとする課題】
一般にライブラリ制御装置などの情報処理装置は、装置の初期設定の段階でバックアップをとることが慣例であるが、ユーザがバックアップをとることを忘れ、装置を運用してしまう可能性がある。もし、システム情報格納位置にある光ディスクがすでに使用中である場合には、バックアップ用光ディスクが作成することができないという課題があった。例えば図１のシステム情報格納位置106にある光ディスクをすでに使用していて、未使用光ディスクでない場合には、バックアップ部201はバックアップ用光ディスクを作成することはできない。
【００１５】
また図３のような、複数枚の光ディスクを格納するマガジンを複数個格納することが可能な光ディスクライブラリ装置300と、それを制御する図２のライブラリ装置200について考える。
【００１６】
ライブラリ制御装置200が、光ディスクライブラリ装置内の複数枚の光ディスクを一つの論理的なボリュームとして扱うことを可能で、ユーザの指定によりマガジンを抜くための命令が起こった場合、指定されたマガジン内に含まれるすべての光ディスクが同じボリュームを構成するときに限りマガジンを抜くことを許可するボリューム抜き出し許可部204を持つ場合、もし、システム情報格納位置を含むマガジン（バックアップマガジン）の光ディスクが全て同じボリュームを構成するような場合を考える。
【００１７】
システム情報格納位置にある光ディスクを他の格納位置にある未使用光ディスクと入れ換え、図２のバックアップ部201がバックアップ用光ディスクを作成すると、バックアップマガジン内の光ディスクが同一ボリュームを構成しなくなり、バックアップ用光ディスクを作成する前はボリューム抜き出し許可部204が抜き出しを許可していたバックアップマガジンを抜き出すことを許可できなくなるという課題があった。
【００１８】
またHDD等のシステム情報記憶部の増設等により、ライブラリ制御装置を動作させるためのプログラムやOSおよび、光ディスクライブラリ装置の管理情報の総容量が一枚の光ディスクの容量を超える場合、バックアップ用光ディスクに必要な光ディスクの枚数も増加するため、複数のシステム情報格納位置にある光ディスクを使用してバックアップ用光ディスクを作成する必要がある。しかし、これらのシステム情報格納位置にある光ディスクのうち、一枚でも未使用でないの光ディスクがあれば、バックアップ用光ディスクが作成できないという課題があった。
【００１９】
また図１または図２の光ディスクライブラリ装置を制御するライブラリ制御装置200において、光ディスクライブラリ装置を増設するような場合は、その光ディスクライブラリ装置を管理する管理情報も増加するため、ライブラリ装置内のシステム情報記憶部202の容量も増加し、一枚の光ディスクの容量を超えることがある。しかし、光ディスクライブラリ装置を増設するような場合には、１台目の光ディスクライブラリ装置内には未使用光ディスクが残っていないような場合がある。このような場合には、バックアップ部201はバックアップ用光ディスクが作成できないという課題があった。
【００２０】
本発明は光ディスクライブラリ装置を制御するライブラリ装置において、光ディスクライブラリ装置およびその中に格納されている光ディスクの使用状態に関わらず、バックアップをとることができるようにすることを目的とする。
【００２１】
【課題を解決するための手段】
上記の課題を解決するために本発明では、上記システム情報格納位置にある光ディスクが未使用光ディスクでない場合には、上記システム情報位置にある光ディスクと未使用光ディスクを交換する光ディスク入れ換え部を有している。
【００２２】
図３のような光ディスクライブラリ装置300を使用する場合には、上記光ディスク入れ換え部は、バックアップマガジン内の全ての光ディスクを調べ、バックアップマガジン内全ての光ディスクが同一ボリュームを構成する場合には、バックアップ用光ディスクを作成するのに必要な未使用光ディスクを任意のマガジン（交換用マガジン）に集め、システム情報格納位置に未使用光ディスクが格納されるように、バックアップマガジンと交換用マガジンの全ての光ディスクを入れ換える。
【００２３】
また、複数の光ディスクライブラリ装置を制御し、バックアップ用光ディスクを複数使用する場合において、上記バックアップ用光ディスク入れ換え部に加え、任意の光ディスクライブラリ装置内のシステム情報格納位置の中から、バックアップ用光ディスクを作成するために必要な数だけ、システム情報格納位置を選択するシステム情報格納位置選択部を有している。
【００２４】
【発明の実施の形態】
図４において、1100は図３によって表される光ディスクライブラリ装置300と同じ光ディスクライブラリ装置である。1101〜1110は10枚の光ディスクを格納するための格納位置を持つマガジン、1111a,1111bは光ディスクのデータを読み書きするための光ディスクドライブ、1112はマガジン内の光ディスクをとりだし移動させるためのアームである。
【００２５】
1200はライブラリ制御装置、1201,1202はHDDである。HDD1201,1202には光ディスクライブラリ装置1100とライブラリ制御装置1200を運用するために必要なシステム情報が記録されている。
【００２６】
1203はフロッピーディスク・ドライブである。1204は臨時運用フロッピーディスクである。
【００２７】
1205は臨時運用部である。臨時運用部1205はライブラリ装置1200の電源投入時に、まずフロッピーディスク・ドライブ1203を確認し、フロッピーディスク・ドライブ1203に臨時運用フロッピーディスク1204が入っていれば、特定の格納位置（システム情報格納位置）にあるバックアップ用光ディスクを光ディスクドライブ1111a,1111bのいずれかに挿入し、バックアップ用光ディスクに記録されているシステム情報をもとに、システムを運用する。もしフロッピーディスク・ドライブに何も入っていなかったり、臨時運用フロッピーディスク以外のフロッピーディスクが入っていれば、1201,1202に記録されているシステム情報をもとに、システムを運用する。
【００２８】
前者の方法がHDD1201,1202が障害を起こした場合の臨時の運用方法で、後者の方法が通常の運用方法である。
【００２９】
また1206は、光ディスクライブラリ装置内の各マガジンに含まれる光ディスクが構成するボリュームの格納位置と、未使用光ディスクの格納位置のような情報を管理するボリューム管理部である。ボリューム管理部1206は図５、図６、図７、図８のように、光ディスクライブラリ装置内1100に含まれるマガジン1101〜1110内の全ての光ディスクの使用状態の情報を常に管理している。
【００３０】
また1207はボリューム抜き出し許可部である。ボリューム抜きだし許可部1207はユーザからのマガジンを抜き出す命令等のシステムがマガジンを抜き出す命令を受けた場合に、ボリューム管理部1206に問い合わせ、指定されたマガジン内の光ディスクが同一ボリュームを構成する場合にマガジンを抜き出すことを許可する。光ディスクライブラリ装置内のマガジンが例えば図５のような状態の場合を考える。図５において一つのマガジン内の光ディスクが全て同じボリュームを構成するマガジンは2,4,5である。この場合ボリューム抜き出し許可部1207はマガジン2,4,5を抜き出すことを許可する。
【００３１】
また1208はバックアップ部である。バックアップ部1208はシステム情報格納位置にある光ディスクをドライブ1111aもしくは1111bに挿入し、1201,1202に記録されているシステム情報を光ディスクにバックアップする。また、ユーザによってフロッピーディスク・ドライブに挿入されたフロッピーディスクにシステムを臨時運用するための情報を書き込むことにより、臨時運用フロッピーディスク1204を作成する。
【００３２】
（実施の形態１）
HDDが1201一台のみで、ドライブ1201に記録されているシステム情報の記憶容量が、1100に格納されている光ディスク一枚の記憶容量を超えない場合を仮定する。つまりバックアップ用光ディスク作成に使用する光ディスクは１枚である。またシステム情報格納位置が一番上に格納されているマガジン1101の一番上の格納位置（図５、図６（ａ）、図６（ｂ）、図７（ａ）、図７（ｂ）のマガジン1101の１番の位置）を使用することを仮定する。
【００３３】
1209は光ディスク入れ換え部である。ライブラリ制御装置がバックアップを作成する命令を受けた場合、光ディスク入れ換え部1209はまずボリューム管理部1206に問い合わせを行ない、現在の光ディスクライブラリ装置1100内の使用状態の情報を得る。その後次のように、バックアップ部1208が動作する前の準備を行なう。
【００３４】
もしバックアップマガジン1101の使用状態が図５のように、システム情報格納位置にある光ディスクが未使用光ディスクの場合、光ディスク入れ換え部1209は何も行なわない。
【００３５】
もしバックアップマガジン1101の使用状態が図６（ａ）のように、システム情報格納位置にある光ディスクが未使用光ディスクでなく、バックアップマガジン内の光ディスクが全て同一ボリュームを構成しない場合には、バックアップ用光ディスク作成前において、ボリューム抜き出し許可部1207はバックアップマガジン1101を抜き出すことを許可しない。この場合、システム情報管理部に格納されている光ディスクを他の格納位置にある未使用光ディスクと入れ換えて、バックアップ用光ディスクを作成しても、ボリューム抜き出し許可部1207はバックアップマガジン1101を抜き出すことを許可しないことには変わりはないので、光ディスク入れ換え部1209はシステム情報格納位置に格納されている光ディスクを他の格納位置にある未使用光ディスクと入れ換える。
【００３６】
例えば図６（ａ）において、マガジン1106の格納位置59にある未使用光ディスクと、システム情報格納位置にある光ディスクを交換する。入れ換え後の結果は図６（ｂ）のようになる。
【００３７】
もしバックアップマガジン1101の使用状態が図７（ａ）のように、システム情報格納位置にある光ディスクが未使用光ディスクでなく、バックアップマガジン内の光ディスクが全て同一ボリュームを構成する場合には、バックアップ用光ディスク作成前において、ボリューム抜き出し許可部1207はバックアップマガジン1101を抜き出すことを許可する。
【００３８】
しかし、バックアップ用光ディスクを作成するため、システム情報格納位置に含まれる光ディスクを未使用光ディスクと交換して、バックアップ用光ディスクを作成した場合、ボリューム抜き出し許可部1207はバックアップマガジン1101に含まれる残り９枚のボリュームAを抜き出すことを許可しなくなる。この問題を回避するため、光ディスク入れ換え部1209は未使用光ディスクを含むマガジンに含まれる全ての光ディスクと、バックアップマガジン1101に含まれる全ての光ディスクを入れ換える。このとき、未使用光ディスクがシステム情報格納位置に格納されるようにする。
【００３９】
例えば図７（ａ）において、未使用光ディスクを２枚含むマガジン1106とバックアップマガジン1101を入れ換えた場合、入れ換えた後は、図７（ｂ）のようになる。図７（ｂ）の状態でボリュームAを抜き出すためにはバックアップマガジン1106を指定すればよい。
【００４０】
上記動作を終った後に、バックアップ部1208はシステム情報格納位置に格納されている未使用光ディスクを使用してバックアップ用光ディスクを作成する。
【００４１】
上記動作を行なう光ディスク入れ換え部1209を持つライブラリ制御装置1200は、バックアップマガジン1101内のシステム情報格納位置にある光ディスクの使用状態に関わらず、またバックアップマガジン内の全ての光ディスクが同一ボリュームを構成する場合にでも、バックアップ用光ディスクを作成することができる。
【００４２】
（実施の形態２）
HDDが1201,1202の２台使用し、ドライブ1201,1202に記録されているシステム情報の記憶容量が、1100に格納されている光ディスク2枚の記憶容量を超えない場合を仮定する。つまりバックアップ用光ディスク作成に使用する光ディスクは2枚である。またシステム情報格納位置が一番上に格納されているマガジン1101の上から１番目と２番目の格納位置（図５のマガジン1101の１、２番の位置）を使用することを仮定する。
【００４３】
1209は光ディスク入れ換え部実施の形態１と同様バックアップ部1208の動作の前の準備を行なう。
【００４４】
もしバックアップマガジン1101の使用状態が図５のように、システム情報格納位置にある光ディスクがいずれも未使用光ディスクの場合、光ディスク入れ換え部1209は何も行なわない。
【００４５】
もしバックアップマガジン1101の使用状態が図８（ａ）のように、システム情報格納位置にある光ディスクのうち一枚が未使用光ディスクでない場合について述べる。ここでは格納位置2にある方が未使用光ディスクでないと仮定するが、逆であっても同様である。このような場合、バックアップマガジンは同一ボリュームを構成しないので、格納位置2に格納されている光ディスクに対して、実施の形態１のシステム情報格納位置の光ディスクが未使用であり、同一ボリュームを構成しないときと同様の動作を行なう。つまり、光ディスク入れ換え部1209は格納位置2に格納されている光ディスクを他の格納位置にある未使用光ディスクと入れ換える。例えば図８（ａ）において、マガジン1106の格納位置59にある未使用光ディスクと、格納位置2にある光ディスクを交換する。入れ換え後は図８（ｂ）のようになる。
【００４６】
もしシステム情報格納位置にある光ディスクがいずれも未使用光ディスクでない場合、次の二通りが考えられる。図９（ａ）のようにバックアップマガジン内の光ディスクが同一ボリュームを構成しない場合と、図１０（ａ）のようにバックアップマガジン内の光ディスクが同一ボリュームを構成する場合である。
【００４７】
図９（ａ）のような場合は、格納位置1,2の光ディスクに対して、実施の形態１のシステム情報格納位置の光ディスクが未使用であり、同一ボリュームを構成しないときと同様の動作を行なう。つまり、光ディスク入れ換え部1209は格納位置1,2に格納されている光ディスクを他の格納位置にある未使用光ディスクと入れ換える。例えば図９（ａ）において、マガジン1106の格納位置５９、６０にある未使用光ディスクと、格納位置1,2にある光ディスクを交換する。入れ換え後は図９（ｂ）のようになる。
【００４８】
図１０（ａ）のような場合は、バックアップマガジンに対して、実施の形態１のシステム情報格納位置の光ディスクが未使用であり、同一ボリュームを構成するときと同様の動作を行なう。つまり、光ディスク入れ換え部1209は未使用光ディスク２枚含むマガジンに含まれる全ての光ディスクと、バックアップマガジン1101に含まれる全ての光ディスクを入れ換える。このとき、未使用光ディスクがシステム情報格納位置に格納されるようにする。例えば図１０（ａ）において、未使用光ディスクを２枚含むマガジン1106とバックアップマガジン1101の全ての光ディスクを入れ換えた場合、入れ換え後は図１０（ｂ）のようになる。
【００４９】
なお、システム情報格納位置にある光ディスクがいずれも未使用光ディスクでなく、２枚の未使用光ディスクを含むマガジンが存在しない場合については次のように動作する。
【００５０】
例えば、図１１（ａ）のように２枚の未使用光ディスクを含むマガジンが存在しない場合は、マガジン1107に含まれる未使用光ディスクとマガジン1106の未使用でない光ディスクのうちの一枚を入れ換え、図１１（ｂ）のような状態にしてから、上記方法でマガジン1106とバックアップマガジン1101の全ての光ディスクを交換する。交換後は図１１（ｃ）のような状態になる。
【００５１】
上記動作を終った後に、バックアップ部1208はシステム情報格納位置に格納されている未使用光ディスクを使用してバックアップ用光ディスクを作成する。
【００５２】
上記動作を行なう光ディスク入れ換え部1209を持つライブラリ制御装置1200は、バックアップマガジン1101内の複数のシステム情報格納位置にある光ディスクの使用状態に関わらず、またバックアップマガジン内の全ての光ディスクが同一ボリュームを構成する場合にでも、バックアップ用光ディスクを作成することができる。
【００５３】
（実施の形態３）
図１２において2100,2200は図４の光ディスクライブラリ装置1100と全く同じものである。2101〜2110,2201〜2210はマガジン、2111a,2111b、2211a,2211bは光ディスクドライブ、2112,2212はアームである。
【００５４】
2300は光ディスクライブラリ装置2100,2200を制御するライブラリ制御装置、2301,2302はHDD、2303はフロッピーディスク・ドライブで、2304は臨時運用フロッピーディスクで、2305は臨時運用部で、2306はボリューム管理部で、2307はボリューム抜き出し許可部で、2308はバックアップ部である。なお上記の各部は図４の対応する各部と同等の機能を持つ。
【００５５】
ライブラリ制御装置2300において、HDDが2301,2302の２台使用し、HDD2301,2302に記録されているシステム情報の記憶容量が、2100,2200に格納されている光ディスク2枚の記憶容量を超えない場合を仮定する。つまりバックアップ用光ディスク作成に使用する光ディスクは2枚である。またシステム情報格納位置のうちの一つは、光ディスクライブラリ装置2100の一番上に格納されているマガジン2101の上から１番目であるとする。
【００５６】
2310はシステム情報格納位置選択部である。バックアップ用光ディスクを作成する際に、ユーザは二つ目のシステム情報格納位置を、2100の一番上に格納されているマガジン2101の上から2番目もしくは2200の一番上に格納されているマガジン2201の上から1番目のいずれかを選択する。
【００５７】
もし2100の一番上に格納されているマガジン2101の上から2番目を選択した場合、光ディスク入れ換え部2309は、光ディスクライブラリ装置2100に対して、実施の形態２で説明した方法により、必要に応じて光ディスクの入れ換えを行なう。
【００５８】
もし2200の一番上に格納されているマガジン2201の上から1番目を選択した場合、光ディスク入れ換え部2309は、光ディスクライブラリ装置2100,2200のそれぞれに対して、実施の形態１で説明した方法により、必要に応じて光ディスクの入れ換えを行なう。
【００５９】
上記動作を終った後に、バックアップ部2308はシステム情報格納位置に格納されている未使用光ディスクを使用してバックアップ用光ディスクを作成する。
【００６０】
上記動作を行なう光ディスク入れ換え部2309,およびシステム格納位置選択部2310を持つライブラリ制御装置2300は、複数の光ディスクライブラリ装置のシステム情報格納位置から必要なシステム情報格納位置を選択することが可能である。
【００６２】
【発明の効果】
以上のように本発明のライブラリ制御装置によれば、光ディスクライブラリ装置内のバックアップマガジン内の光ディスクが同一ボリュームを構成する場合には、バックアップ用マガジン内の全ての光ディスクと交換用マガジン内の全ての光ディスクを、交換用マガジン内の未使用光ディスクがシステム情報格納位置に格納されるように入れ換えた後にバックアップをとることができ、バックアップマガジンの使用状態に関わらずバックアップをとることが可能となる。
【００６３】
また本発明のライブラリ制御装置によれば、複数の光ディスクライブラリ装置内のシステム情報格納位置の候補からシステム情報格納位置を選択することができ、ある光ディスクライブラリ装置内の光ディスクが光ディスクが全て使用中である場合にでも、別の光ディスクライブラリ装置内のシステム情報格納位置にある光ディスクを使用してバックアップをとることが可能となる。
【図面の簡単な説明】
【図１】マガジンを使用しない光ディスクライブラリ装置を示す図
【図２】光ディスクライブラリ装置内の特定位置にとることのできる従来のライブラリ制御装置と光ディスクライブラリ装置を示す図
【図３】マガジンを使用する光ディスクライブラリ装置を示す図
【図４】本発明の実施の形態１、２に関わる光ディスクライブラリ装置とそれを制御するライブラリ制御装置を示す構成図
【図５】本発明の実施の形態１、２に関わる光ディスクライブラリ装置内のボリューム構成を示す図
【図６】（ａ）本発明の実施の形態１に関わる光ディスク入れ換え部が光ディスクを入れ換える前の光ディスクライブラリ装置内のボリューム構成を示す図
（ｂ）本発明の実施の形態１に関わる光ディスク入れ換え部が光ディスクを入れ換えた後の光ディスクライブラリ装置内のボリューム構成を示す図
【図７】（ａ）本発明の実施の形態１に関わる光ディスク入れ換え部が光ディスクを入れ換える前の、光ディスクライブラリ装置内のボリューム構成を示す図
（ｂ）本発明の実施の形態１に関わる光ディスク入れ換え部が光ディスクを入れ換えた後の、光ディスクライブラリ装置内のボリューム構成を示す図
【図８】（ａ）本発明の実施の形態２に関わる光ディスク入れ換え部が光ディスクを入れ換える前の、光ディスクライブラリ装置内のボリューム構成を示す図
（ｂ）本発明の実施の形態２に関わる光ディスク入れ換え部が光ディスクを入れ換えた後の、光ディスクライブラリ装置内のボリューム構成を示す図
【図９】（ａ）本発明の実施の形態２に関わる光ディスク入れ換え部が光ディスクを入れ換える前の、光ディスクライブラリ装置内のボリューム構成を示す図
（ｂ）本発明の実施の形態２に関わる光ディスク入れ換え部が光ディスクを入れ換えた後の、光ディスクライブラリ装置内のボリューム構成を示す図
【図１０】（ａ）本発明の実施の形態２に関わる光ディスク入れ換え部が光ディスクを入れ換える前の、光ディスクライブラリ装置内のボリューム構成を示す図
（ｂ）本発明の実施の形態２に関わる光ディスク入れ換え部が光ディスクを入れ換えた後の、光ディスクライブラリ装置内のボリューム構成を示す図
【図１１】（ａ）本発明の実施の形態２に関わる光ディスク入れ換え部が光ディスクを入れ換える前の、光ディスクライブラリ装置内のボリューム構成を示す図
（ｂ）本発明の実施の形態２に関わる光ディスク入れ換え部が光ディスクを入れ換える途中の、光ディスクライブラリ装置内のボリューム構成を示す図
（ｃ）本発明の実施の形態２に関わる光ディスク入れ換え部が光ディスクを入れ換えた後の、光ディスクライブラリ装置内のボリューム構成を示す図
【図１２】本発明の実施の形態３に関わる光ディスクライブラリ装置とそれを制御するライブラリ制御装置を示す構成図
【符号の説明】
１００  光ディスクライブラリ装置
１０２  格納位置
１０６  システム情報格納位置
２０１  バックアップ部
２０２  システム情報記憶部
３００  光ディスクライブラリ装置
３０１  マガジン
３０８  システム情報格納位置
１１００  光ディスクライブラリ装置
１１０１〜１１１０  マガジン
１２００  ライブラリ制御装置
１２０６  ボリューム管理部
１２０８  バックアップ部
１２０９  光ディスク入れ換え部
２１００，２２００  光ディスクライブラリ装置
２１０１〜２１１０  マガジン
２２０１〜２２１０  マガジン
２３００  ライブラリ制御装置
２３０６  ボリューム管理部
２３０８  バックアップ部
２３０９  光ディスク入れ換え部
【図１】
0003708247.tif 000002
【図２】
0003708247.tif 000003
【図３】
0003708247.tif 000004
【図４】
0003708247.tif 000005
【図５】
0003708247.tif 000006
【図６】
0003708247.tif 000007
【図７】
0003708247.tif 000008
【図８】
0003708247.tif 000009
【図９】
0003708247.tif 000010
【図１０】
0003708247.tif 000011
【図１１】
0003708247.tif 000012
【図１２】
0003708247.tif 000013